【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】  電気通信システムで使用する方法であって、
特定のパケットを通じてヘッダの圧縮に関するパケット処理更新のための少なくとも一つの変化を送信すること、
他のパケットが減圧に関する変化を欠いている場合、前記特定のパケット以外のパケットを肯定応答メッセージのようなフィードバックの要求なしに非肯定応答モードで送信すること、および
前記特定のパケットに対して肯定応答方式を使用することからなる方法。
【請求項２】  前記特定のパケットの送信はシーケンス番号についての情報を送信することからなる請求項１記載の方法。
【請求項３】  前記特定のパケットはさらなる送信の減圧に関する基準としての役割を果たす基準パケットからなる請求項１記載の方法。
【請求項４】  前記特定のパケットの送信が循環する冗長性チェックまたはパラメータからなる情報で、肯定応答が必要とされる情報を送信することからなる請求項１記載の方法。
【請求項５】  前記特定のパケットの少なくとも一つが正確に減圧される場合、前記肯定応答方式が明確な肯定応答からなる請求項１記載の方法。
【請求項６】  前記肯定応答方式が否定応答からなる請求項１記載の方法。
【請求項７】  前記少なくとも一つの変化がコンプレッサ状態を維持するためである請求項１記載の方法。
【請求項８】  前記特定のパケットの少なくとも一つを送信したのち、その後設定された時間中、前記肯定応答の受信を待ち、それから受信についての前記肯定応答に応じてさらなるステップへ進むことをさらに特徴とする請求項１記載の方法。
【請求項９】  前記設定された時間中、前記肯定応答の前記受信のときまで、前記特定のパケットの少なくとも一つを格納することをさらに特徴とする請求項８記載の方法。
【請求項１０】  前記特定のパケットの少なくとも一つが送信されたのち、前記設定された時間中、前記肯定応答の前記受信のときまで、肯定応答を必要としない前記他のパケットの少なくとも一つをも格納することをさらに特徴とする請求項９記載の方法。
【請求項１１】  前記肯定応答を受信することなく前記設定された時間が経過したのち、前記格納された特定のパケットの少なくとも一つおよび前記格納された他のパケットの少なくとも一つを再送信することをさらに特徴とする請求項１０記載の方法。
【請求項１２】  プロトコルスタックのより高い層に前記特定のパケットの少なくとも一つの受信または非受信を通知することをさらに特徴とする請求項１記載の方法。
【請求項１３】  電気通信システムで使用する方法であって、
特定のパケットを通じてヘッダの圧縮に関するパケット処理更新のための少なくとも一つの変化を受信すること、
他のパケットが減圧に関する変化を欠いている場合、前記特定のパケット外のパケットを肯定応答メッセージのようなフィードバックの要求なしに非肯定応答モードで受信すること、および
前記特定のパケットに対して肯定応答方式を使用することからなる方法。
【請求項１４】  前記特定のパケットの受信がシーケンス番号についての情報を受信することからなる請求項１３記載の方法。
【請求項１５】  前記特定のパケットが続いて受信されるパケットの減圧に関する基準としての役割を果たす基準パケットからなる請求項１３記載の方法。
【請求項１６】  前記特定のパケットの受信が循環する冗長性チェックまたはパラメータからなる情報で、肯定応答が必要とされる情報を受信することからなる請求項１３記載の方法。
【請求項１７】  前記肯定応答方式が前記特定のパケットの少なくとも一つが正確に減圧された場合、明確な肯定応答からなる請求項１３記載の方法。
【請求項１８】  前記肯定応答方式が否定応答からなる請求項１３記載の方法。
【請求項１９】  特定のパケットを通じてヘッダの圧縮に関するパケット処理更新のための少なくとも一つの変化を送信する手段、
他のパケットが減圧に関する変化を欠いている場合、前記特定のパケット以外のパケットを肯定応答メッセージのようなフィードバックの要求なしに非肯定応答モードで送信する手段、および
前記特定のパケットに対して肯定応答方式を使用する手段からなる装置。
【請求項２０】  前記特定のパケットの送信がシーケンス番号についての情報を送信することからなる請求項１９記載の装置。
【請求項２１】  前記特定のパケットがさらなる送信の減圧に関する基準としての役割を果たす基準パケットからなる請求項１９記載の装置。
【請求項２２】  前記特定のパケットの送信が循環する冗長性チェックまたはパラメータからなる情報で、肯定応答が必要とされる情報を送信することからなる請求項１９記載の装置。
【請求項２３】  前記肯定応答方式が、前記特定のパケットの少なくとも一つが正確に減圧された場合、明確な肯定応答からなる請求項１９記載の装置。
【請求項２４】  前記肯定応答方式が否定応答からなる請求項１９記載の装置。
【請求項２５】  前記少なくとも変化の一つがコンプレッサの状態を維持するためである請求項１９記載の装置。
【請求項２６】  前記特定のパケットの少なくとも一つを送信したのち、その後設定された時間中、前記肯定応答の受信を待ち、それから受信についての前記肯定応答に応じてさらなるステップへ進む請求項１９記載の装置。
【請求項２７】  電気通信システムで使用する装置であって、
特定のパケットを通じてヘッダの圧縮に関するパケット処理更新のための少なくとも一つの変化を受信する手段、
他のパケットが減圧に関する変化を欠いている場合、前記特定のパケット以外のパケットを肯定応答メッセージのようなフィードバックの提供なしに非肯定応答モードで受信する手段、および
前記特定のパケットに対して肯定応答方式を使用する手段を特徴とする装置。
【請求項２８】  前記特定のパケットの受信がシーケンス番号についての情報を受信することからなる請求項２７記載の装置。
【請求項２９】  前記特定のパケットが続いて受信されるパケットの減圧に関する基準としての役割を果たす基準パケットからなる請求項２７記載の装置。
【請求項３０】  前記特定のパケットの受信が循環する冗長性チェックパラメータまたは他のパラメータからなる情報で、肯定応答が必要とされる情報を受信することからなる請求項２７記載の装置。
【請求項３１】  前記肯定応答方式が、前記特定のパケットの少なくとも一つが正確に減圧された場合、明確な肯定応答からなる請求項２７記載の装置。
【請求項３２】  前記肯定応答方式が否定応答からなる請求項２７記載の装置。
【請求項３３】  コンピュータが実行可能な要素を有する、コンピュータが読取り可能な媒体を備えたコンピュータプログラムプロダクトであって、
特定のパケットを通じてヘッダの圧縮に関するパケット処理更新のための少なくとも一つの変化を送信すること、
他のパケットが減圧に関する変化を欠いている場合、前記特定のパケット以外のパケットを肯定応答メッセージのようなフィードバックの要求なしに非肯定応答モードで送信すること、および
前記特定のパケットに対して肯定応答方式を使用するコンピュータプログラムプロダクト。
【請求項３４】  前記特定のパケットの送信がシーケンス番号についての情報を送信することからなる請求項３３記載のコンピュータプログラム。